(57)【要約】【課題】  信号の受信状態を表示し、光サージによる光受信器の保護を担う光アダプタを提供する。【解決手段】  受信ポート２６からの光信号を、可変光アッテネータ１７への第１の光信号と、駆動部１６への第２の光信号とに分岐する光カプラ１８を含み、駆動部１６は、第２の光信号の光レベルが予め定められた値より大きいことを検出したとき、少なくとも予め定められた時間の間、可変光アッテネータ１７に駆動電流を供給し、可変光アッテネータ１７は、駆動部から駆動電流を供給されている間、第１の光信号の、光ネットワーク装置への送出を、停止する。ＬＥＤ２２は、光レベルが異常のとき、点灯または点滅して異常を表示する。【選択図】図３
2006060659.tif 000002
【特許請求の範囲】
【請求項１】
光ネットワーク装置に取り付け、受信した光信号を、前記ネットワーク装置に送出する光アダプタであって、
前記光信号の光レベルが、前記ネットワーク装置の受信ダイナミックレンジを超えるとき、前記光信号の前記ネットワーク装置への送出を、少なくとも予め定められた時間の間、停止することを特徴とする光アダプタ。
【請求項２】
光ネットワーク装置に取り付け、該光ネットワーク装置の受光器の保護を行なう光アダプタであって、
受信ポートからの光信号を、可変光アッテネータへの第１の光信号と、駆動部への第２の光信号とに分岐する光カプラを、含み、
前記駆動部は、前記第２の光信号の光レベルが予め定められた値より大きいことを検出したとき、少なくとも予め定められた時間の間、前記可変光アッテネータに駆動電流を供給し、
前記可変光アッテネータは、前記駆動部から駆動電流を供給されている間、前記第１の光信号の、前記光ネットワーク装置への送出を、停止することを特徴とする光アダプタ。
【請求項３】
請求項２に記載の光アダプタであって、
蓄電池をさらに含み、
前記蓄電池は、前記駆動部と前記可変光アッテネータとへ給電することを特徴とする光アダプタ。
【請求項４】
伝送装置からの光信号を、ネットワーク装置に送出する光アダプタであって、
前記光信号の光レベルが、前記ネットワーク装置の受信ダイナミックレンジを超えるとき、前記光信号の前記ネットワーク装置への送出を、少なくとも予め定められた時間の間、停止し、
前記光信号の光レベルが、前記ネットワーク装置の受信ダイナミックレンジ未満のとき、表示装置で異常を表示することを特徴とする光アダプタ。
【請求項５】
請求項１ないし請求項４のいずれか一に記載の光アダプタであって、
前記予め定められた時間は、概ね５０ｍｓであることを特徴とする光アダプタ。
【発明の詳細な説明】
【技術分野】
【０００１】
本発明は、ネットワーク装置に接続する光アダプタに係り、特に光受信器を保護する光アダプタに関する。
【背景技術】
【０００２】
従来、光伝送システムでは、送信側の伝送装置と対向する受信側の伝送装置の製造メーカ（ベンダー）は、同一であることが通例であった。これは、システム設計から製品設計、試験に至るまで、送信側と受信側を一体にして製品開発するためである。こうして実際の敷設時には、接続障害の原因が、伝送装置にあるのか、その間の回線にあるのか、明確にして検証しながら全体のネットワークの信頼性を高めていた。
【０００３】
一方、対向して接続された伝送装置にクライアント装置として、接続される機器は、前述の伝送装置に比べれば低位の技術によって接続され、イーサネット（登録商標）等の、一般的な規格によって仕様が開示されている。
【０００４】
しかし現在では、この状況に変化が見られる。確かに、同一のベンダーの製品同士で接続すれば、信頼性は高まる。しかしながら、この事は、多くのエリア（サイト）で同一ベンダーの機器を採用しなければならないことを意味する。必然的にベンダーの競争を抑制し、コストの低下を阻む要因として、通信事業者から、看なされ始めてきた。さらに、昨今ベンダーの技術力の高まりから、製品品質の高さは当たり前とされる程になっており、通信事業者からは、他社接続性（インターオペラビリティ）の要求が出てきている。
【０００５】
こうして高い技術を要する機器であっても対向接続するニーズが出るほど、機器開発のスピードが早まり、またそれを取り入れようとするネットワーク設計者のニーズも高まってきた。ところが、異なるベンダーや異なる仕様の間で接続しようとするときに必要となる標準規格の策定が、ベンダーによる開発スピードに追従できていない。このため、製品が採用される段階においても、規格が決まっていない例は、極めて多い。つまり、実際に接続してから問題が発覚する事態が発生するようになったのである。
【０００６】
こうした問題は、全体のネットワークを設計構築し、運用するネットワーク設計者にとって多くの負担を強いている。対策として、事前にベンダーを集めて試験を行ったり、仕様を開示したりするなどの対策を行っているネットワーク設計者も存在する。しかし、単なる仕様数値の違いに留まらない根本的な相違も多く、実質的な効果は得られていないようである。
【０００７】
そして、技術競争が活発化すればするほど、仕様の異なる機器同士を接続してでも、全体としてより先進的な機能を実現することを優先したいとするニーズは増えていくものと考えられる。
【０００８】
この問題は、波長多重システムで特に顕著である。何故ならば、波長多重システムは、波長ごとに異なる信号フォーマットの光信号を流すことが可能だからである。つまり、波長多重システムの端局には、ＳＤＨ信号を送出する光送信器と、１０ギガイーサ信号を送出する光送信器とが、同時に接続されることがある。また、波長多重システムは、独立に稼動する複数の光送信器の複数の出力光を一つの波長多重システムに束ねる役割を果たす。つまり、波長多重システムの端局には、信号フォーマットも稼動状況も異なる複数の光送信器からの、複数の光信号が、送出される。また逆に、波長多重システムの端局からは、複数信号フォーマットの光信号が、稼動状況の異なる複数の光受信器に、送出される。
光送信器と光受信器とを、ネットワーク装置と総称する。なお、ＳＤＨ用のネットワーク装置も、１０ギガイーサ用のネットワーク装置も、その光出力ポート部と光入力ポート部とを一体化することが、通例となっており、物理的な寸法も含めてデファクト標準になっている。
【０００９】
特許文献１には、光増幅器と光受信器との間に設けた光入力保護回路で、信号断からの回復で発生する急激な光入力による光受信器の破壊を防止する光受信装置が記載されている。
【００１０】
また、特許文献２および特許文献３には、光増幅器の入力側に光レベルを検出する検出部を設け、入力光レベルが所定の値より小さいとき、出力制御部で光増幅の利得を下げる光増幅器が記載されている。
【００１１】
特許文献４には、光増幅器の入力側に光レベルのモニタ部を設け、光増幅器の後段に設けた光フィルタの透過波長特性を制御して、光サージの出力を抑圧する光信号受信装置が記載されている。
【００１２】
特許文献５には、受光素子の前段に入力レベル検出手段を設け、光サージの検出または予測に基づいて、受光素子のバイアス電源または受光素子の後段のプリアンプの電源をオフにする光サージ対応光受信器が記載されている。
【００１３】
さらに、特許文献６には、入力光ファイバと出力光ファイバとの間に設けた光ヒューズ装置が記載され、光サージによって光ヒューズが切れたことを、光ヒューズ装置の前で信号光に多重し、光ヒューズ装置の後で信号光から分離するプローブ光で検出する発明が記載されている。
【００１４】
【特許文献１】特開平０９−２４７０９３号公報
【特許文献２】特開平０７−２４０７１７号公報
【特許文献３】特開平０７−３０７７０４号公報
【特許文献４】特開平０８−３３１０４８号公報
【特許文献５】特開平０９−３１２６１８号公報
【特許文献６】特開２００２−２２１７４０号公報
【発明の開示】
【発明が解決しようとする課題】
【００１５】
上述したように、波長多重システムの端局は、信号フォーマットも稼動状況も異なる複数の光送信器からの、複数の光信号を受信する。逆に、波長多重システムの端局は、複数の信号フォーマットの光信号を、稼動状況の異なる複数の光受信器に、送出する。この状況で発生する問題は、様々に存在する。
【００１６】
その一例は、光サージと呼ばれるジャイアントパルスの問題である。通常、光ネットワーク装置には、光レベルの入力許容幅がある。受信した光レベルが、この入力許容幅を超過すれば、ネットワーク装置の受光器を、熱破壊させてしまう。その結果、甚大な通信障害を起こす。光サージは、異なる仕様の機器が独立に想定外の動作をすることによって発生する場合が、多い。
【００１７】
また、光サージは、光信号が通っている光コネクタを、ネットワーク装置に挿すだけでも発生することがある。この光サージの発生を防止するため、一旦取り外した光コネクタを再度挿すときには、厳格な手順を踏む必要がある。この手順の運用は、極めて煩雑である。
【００１８】
仕様の異なるネットワーク装置を共通して接続される光波長多重装置において、こうした仕様の不整合を吸収することも検討されている。しかし、上述してきたような独立かつ予告なく発生する変動の状況を、全て完全に抑圧することが極めて困難である。また、光波長多重装置にもいくつかの仕様やベンダーがあり、装置コストの問題などから、このような機能を搭載していないシステムもある。そのような波長多重システムに接続された場合には、ネットワーク装置が防衛策を取らざるを得ない。
【００１９】
本発明の目的は、ネットワーク装置を光サージによる熱破壊から保護するアダプタ装置を提供することにある。
【課題を解決するための手段】
【００２０】
上記課題は、光信号の光レベルが、ネットワーク装置の受信ダイナミックレンジを超えるとき、光信号のネットワーク装置への送出を、少なくとも予め定められた時間の間、停止する光アダプタによって解決できる。
【発明の効果】
【００２１】
本発明の光アダプタに拠れば、ネットワーク装置を光サージによる熱破壊から保護することができる。
【発明を実施するための最良の形態】
【００２２】
以下本発明の実施の形態を、実施例を用いて図面を参照しながら説明する。ここで、図１は、本発明の実施例を説明する波長多重システムのブロック図である。図２は、本発明の実施例を説明する波長多重システムの詳細ブロック図である。図３は、本発明の実施例を説明するアダプタ装置のブロック図である。図４は、本発明の実施例を説明するＬＥＤと光可変アッテネータの動作を説明する図である。図５は、本発明の実施例を説明する光サージの波形である。
【００２３】
図１の波長多重システムにおいて、図示しない入力ポートと出力ポートを有する８台のネットワーク装置１は、光アダプタ２と接続する。光アダプタ２と波長多重伝送装置５の図示しない入出力ポートとは、伝送ファイバ４で接続する。波長多重伝送装置５は、信号光を受光し、３Ｒ（Reshaping, Retiming, Regeneration）を施した後、所定の波長多重用の精密な波長光に変換し、他の波長の信号光と多重して、送信する。送信された波長多重光は、光増幅装置６、７を介して対向側の波長多重伝送装置８に導入され、分波された後、伝送ファイバ９を介して対向の光アダプタ２に導入される。光アダプタ２は、光レベルをモニタし、光サージを検出したとき一定期間光信号レベルを低下させる。また、光アダプタ２は、受信信号の断を図示しない表示装置で表示する。
図１の波長多重システムでは、図１で右から左への逆方向の伝送も実施するが、上述した説明と同じなので省略する。
【００２４】
図２は、波長多重伝送装置５との接続部分をより詳細に記述したものである。
【００２５】
ネットワーク装置１には出力ポート１１と入力ポート１２とが設けられている。この、出力ポート１１と入力ポート１２とは、一体化され、光アダプタ２を直接挿すことによって、光学的および物理的に接続される。出力ポート１１からの光信号は、光アダプタ２に入力され、伝送ファイバ４１に出力される。伝送ファイバ４１は、波長多重装置５の入力ポート５１に接続され、波長変換装置５５において受光される。波長変換装置５５は、３Ｒを施した後、所定の波長多重用の精密な波長光に変換し、光合波器５３に送信する。同様にして、互いに異なる四つの波長に変換された光信号は、光合波器５３で合波される。
【００２６】
合波された波長多重光信号は、波長多重装置５の波長多重信号出力ポート５６を介して、光増幅器６、７（図示せず）を経て対向側の光分波器５４（図示せず）に導入される。対向側から逆方向に伝送され、波長多重装置５の波長多重信号入力ポート５７を介して、光分波器５４で分波された光信号は、伝送ファイバ４２を通過して、光アダプタ２に入力される。ここで、光分波器５４と出力ポート５２との間には、波長変換装置を設置しても良い。
なお、光アダプタ２の送信ポート２５と受信ポート２６とを設けた面には、後述するＬＥＤ２２と、充電用のインターフェース２７が設けられている。
【００２７】
図３をさらに参照して、光アダプタ２の構成を説明する。光ネットワーク装置１の出力ポート１１と、光アダプタ２の入力コネクタ２３とは、直接取り付けられているので、光ネットワーク装置１の平均的な光出力、すなわち＋３ｄＢｍ（約２ｍＷ）の光信号が、光アダプタ２にそのまま出力されている。この光信号は、分岐比１：９の光カプラ１３によって一部分岐され、分岐された０．２ｍＷの光は、光電変換パネル１４表面にファイバで導かれ、光電変換パネル１４を照射する。ここで利用した屋内用光電変換パネル１４は、動作特性4.5V-30μA（マイクロアンペア）、縦17.8mm、横32.4mm、質量1.5gである。30μAの動作電流は、ファイバから常時0.2mW程度の光が照射され、かつ屋内は廊下の暗さ程度の照明があるものと仮定して、算出したものである。もし屋内の照明がない場合には、ファイバからだけの照射となり、この際の動作電流は15μA程度になる。ファイバ端より発出される光は、1.55μｍのレーザー光であり、直進性が高いので散乱することはなく、効率的にセル表面に照射されるものと考えてよい。光電変換パネル１４は、後述する可変光アッテネータ１７の駆動部１６の待機電流を供給する。
光カプラ１３からの光信号の大部分は、そのまま光アダプタ２の出力ポート２５を介して、波長多重伝送装置５に送られる。
【００２８】
一方、波長多重伝送装置５からの光信号は、光アダプタ２の入力ポート２６を介して、光カプラ１８に到達する。光カプラ１８は、分岐比５：９５で光信号を分岐し、大部分の光信号を可変光アッテネータ１７に送り、５％の光を可変光アッテネータ駆動部１６の光検出器１９に送る。可変光アッテネータ１７は、ＭＥＭＳ駆動で応答速度４０μｓと高速に応答し、非駆動時には光信号に０．７ｄＢ程度しか減衰を与えず、出力コネクタ２４からネットワーク装置１の入力ポート１２に送出する。
【００２９】
光検出器１９は、分岐された光信号を電気信号に変換する。駆動部１６は、この光信号の電圧と、基準電圧生成部２０が保持するアダプタ装置２への入力信号の０ｄＢｍに相当する電圧、および入力信号の−１０ｄＢｍに相当する電圧とを、比較器２１で常時比較する。光アダプタ２には、蓄電池１７と表示装置であるＬＥＤ２２とを含み、蓄電池１７は、ＬＥＤ表示電流と、駆動部１６の駆動電流を供給している。ここで、−１０〜０ｄＢｍは、ネットワーク装置１の受光器の入力信号の光レベル仕様（受信ダイナミックレンジ）である。つまり、この範囲以外の入力信号レベルは、異常を意味する。
【００３０】
比較器２１が検出する入力光信号レベルと、ＬＥＤ２２と可変アッテネータ１７との関係を図４で説明する。入力信号の光レベルが、−１０ｄＢｍを超え０ｄＢｍ未満のときは、正常な入力光信号レベルであるので、ＬＥＤ２２は滅灯し、可変光アッテネータ１７も停止（透過）状態である。入力信号の光レベルが、−１０ｄＢｍ以下の場合、それは光信号が来ていないことを意味するので、ＬＥＤ２２は点灯し、異常を知らせる。このとき、可変光アッテネータ１７は、停止（透過）状態である。一方、入力信号の光レベルが、０ｄＢｍ以上の場合、それは受信器のダイナミックレンジを越えていることを意味するので、光サージによる異常と判断し、可変光アッテネータ１７を、少なくとも５０ｍｓの間、遮断状態にする。具体的には、駆動部１６は、可変光アッテネータ１７に駆動電流を供給する。可変アッテネータ１７は、駆動電流の供給を受けて、４０μｓ以内に透過状態だった光信号に３０ｄＢ以上の損失を与える状態に遷移する。５０ｍｓの値は、光サージが、数１０ｍｓ以内で収束することから、決定した。ＬＥＤ２２については点灯させてもよいが、５０ｍｓの点灯では、人の目で確認することは困難である。なお、５０ｍｓ後に、依然入力信号の光レベルが０ｄＢｍ以上の場合、この不具合の原因は光サージ以外の要因であると判断し、遮断状態を継続する。このとき、ＬＥＤ２２は点滅させる。
なお、ＬＥＤ２２の点灯表示は適宜入れ替えてもよいが、蓄電池駆動なので正常時に滅灯状態であることが望ましい。
【００３１】
図５に、光アダプタを用いて光サージを抑圧した実験例を示す。図５（ａ）は、光波長多重装置より出力された光サージを、縦軸に光レベル、横軸に時間を取って示したものである。光サージは、最初の２ｍｓはやや緩やかに立ち上がり、次の１ｍｓで急峻なピークとなっている。このパルスのピークエネルギーは２０ｍＷ、持続時間は１０ｍｓである。万一、このジャイアントパルスが直接光ネットワーク装置に投入されれば、光ネットワーク装置の受光器が破壊される可能性はきわめて高い。光波長多重装置により発生するジャイアントパルスの特徴は、比較的パルスの持続時間（緩和時間）が長いことである。本実験例から明らかなように、１０ｍｓ以上の持続時間があることも珍しくない。一般に受光器の熱破壊は、パルスのパワーだけでなく、時間の長さにも依存するため、破壊の可能性が高くなるのである。
【００３２】
一方、図５（ｂ）は、光アダプタ２を通過した後の光パワーを観測したものである。光サージは、パルスの最初の２ｍｓで０ｄＢとなり、可変アッテネータ１７の動作で急峻なピークを抑圧している。本データによれば極めて効果的に光サージが抑圧されていることがわかる。
【００３３】
本実施例の、光アダプタはネットワーク装置の入出力ポートに直接挿入するだけで、稼動可能なように、内部の回路の駆動電源として、光電変換パネル１４と蓄電池１７とを用いている。ここで、光電変換パネルと蓄電池との電流容量の妥当性に付いて具体的に説明する。
【００３４】
利用する蓄電池１５は、外形寸法34.0（Ｗ）×49.6（Ｄ）×5.6（Ｄ）ｍｍの小型のリチウムイオン電池である。公称電圧は3.7V、定格容量1,000mAh、質量は21gである。蓄電池１５には、外部から電源を供給し、充電するためのインターフェース２７も搭載されている。
【００３５】
可変光アッテネータ駆動部１６の駆動電圧は3.3V、待機時の消費電流は0.01mA、動作時の消費電流は20mAである。一方可変アッテネータ１７の駆動電流は、3mAである。
【００３６】
光サージの発生過程は数１０ｍｓで終了するので、これをカバーするために光アッテネータを駆動させる時間を50ｍｓとする。光サージは、平均して30分に一回の頻度で発生する（非常に多い頻度である）と仮定する。一方、ＬＥＤの点灯あるいは点滅は、１月に２回、１日あたり１時間点灯し、そのときの消費電流は20mAと仮定する。
【００３７】
以上の条件下で、一日あたり必要となる電流量を計算する。
まず、待機電流0.01mAは、光電変換パネルによって提供できる15-30μA（0.015-0.03mA）によって賄うことが出来る。
次に、光サージが生じた場合に必要となる電流量を一時間当たりに換算して算出すると、
（20+3）mA×（50ms×2回/3,600,000ms）＝0.00064mA…（１）
である。なお、光サージ以外の要因で入力信号の光レベルが０ｄＢｍ以上の場合は、ほとんどないので無視した。一方、ＬＥＤの点灯に必要な電流は、一時間当たり平均で、
（20mA×1/24×2/30）＝0.056mA…（２）
（２）に比べて（１）は無視できるので、これらの合計値として、0.056mAを用いる。従って、一日当たり消費する電流量は、
0.056mA×24h＝1.34mAh…（３）
となる。上述したリチウムイオン電池が持続する期間は、
1,000mAh/1.34mAh/日＝748日…（４）
となる。リチウムイオン電池は、完全放電しなくとも充電できるので、１年に１回の充電とすれば良い。もちろんシステムの動作が安定すれば、光サージやＬＥＤが点灯する頻度は少なくなるため、より充電間隔は長くなるだろう。
【００３８】
また、待機電流0.01mAも充電池から供給することも可能である。リチウムイオン電池の一日当たりの電流量は、上記と同様の計算で1.58mAhとなり、電池の持続期間も633日である。これは、光カプラ１３と光電変換パネル１４とが不可欠とは、いえないことを意味する。
【００３９】
上述した実施例では、可変光アッテネータとして、ＭＥＭＳ駆動で応答速度４０μｓと高速に応答し、非駆動時減衰を与えないタイプを用いた。しかし、可変光アッテネータとしては、これに限られず、非駆動時には光を透過させる仕様で、応答速度がサブミリ秒以下のものなら良い。具体的には、鉛（Ｐｂ）、ランタン（Ｌａ）ジルコン（Ｚｒ）、チタン（Ｔｉ）を含む酸化物セラミックであるＰＬＺＴは、電圧を印加することによって偏光面を変えるので、偏光子と組み合わせることによって、磁気光学型の可変光アッテネータとして利用できる。ＰＬＺＴを用いた高速光シャッターとして、応答速度５μｓの製品も存在する。
【００４０】
また、図３のブロック図では、ＬＥＤ２２と蓄電池の充電インターフェース２７とを、入力コネクタ２３と出力コネクタ２４との間に配置したが、実際は図２に示すように、波長多重伝送装置側である。
【００４１】
これまでの説明で理解されるように、本実施例の光アダプタのポイントは、個々の光ネットワーク装置１を個別に保護するよう、簡単に設置できる点である。設置場所は光ネットワーク装置に近接しているから、従来では防げなかった多くの破壊要因を直前で確実に抑止することが可能となる。構成も極めて単純な機構で駆動させることが可能であり、また、もしそのまま実稼動させたとしても運用に影響を与えることがないばかりでなく、１年に１回の定期的な蓄電池の充電あるいは交換によって、常時稼動させ、運用時でも万一の事故を防止することが可能となる。特に波長多重装置を利用するシステムでは、長期的に少しずつ光ネットワーク装置を増設していくことが多い。そのような場合には、何時以前設置した光ネットワーク装置に変動を与え、光サージを発生させるとも限らない。こうした事態を防止するためにも、増設後の検査確認（検証）期間後にもそのまま設置しておく方が望ましいだろう。
【００４２】
上述してきたように、本実施例の光アダプタによれば、瞬時に発生する光の変動を抑えることができる。従来は光波長多重装置と光ネットワーク装置を接続するには厳重な注意が必要であった。なぜなら光波長多重装置には、通常光増幅器が搭載されている。光増幅器は、光パワーによって特殊な光ファイバ内の添加元素を励起して誘導放出を起こすことによって光増幅しているため、少なくとも一つの光の波長が切れたり、再接続したりすると、全体の光パワーがサージのようなパルスを一瞬に放出させる、ジャイアントパルスという物理現象を生じさせることがある。特に、設備の検証時には光ネットワーク装置が複数の場所に置かれ、それぞれが別の作業をしていることが多い。このため、ある瞬間に別の場所でジャイアントパルスを生じる可能性があるのである。
【００４３】
また、光波長多重装置が安定するまで光ネットワーク装置に光ファイバを繋がないよう手順を決め、順序良く接続するなどの工夫を行っていたが、検証時に何時もこの手順を踏襲するには極めて複雑な順序を逐一踏襲する必要があり、極めて非効率で実質的には実践することが不可能だった。また、あらかじめ減衰量の大きい固定型光アッテネータを挿入しておき、万一過大出力が投入されても、破壊されるレベルに至らないようにする方法も採られていたが、この方法は実現性が疑わしい。なぜなら、このように常時一定の損失量が投入されてしまうと、通常の光レベルも低下してしまう。すると、常時光S/Nが劣化することになり、通常の伝送特性を落とすことに繋がりかねなかった。さらに、サージのレベルはあらかじめ決まっているものではなく、必ずしも固定の減衰量で危険レベルが回避されているとはいえなかった。このように、ジャイアントパルスは防止する方法が多数存在するものではなく、技術的にも難しいため、光波長多重装置の外で確実に防御する機構が望まれていた。
【００４４】
このアダプタによれば、光ネットワーク装置の入出力ポートにつけておけば、常時光入力パワーは検知され、過大入力が投入された時には瞬時に可変アッテネータが駆動して損失を発生させ、過大な光を光ネットワーク装置に投入させないよう制御することが可能となる。例え光波長多重装置にジャイアントパルス防止機構がついていなくても、少なくとも光ネットワーク装置を破壊させることは回避できる。可変光アッテネータが、光信号に与える減衰量は通常ゼロであるから、正常時の光S/Nを劣化させることもない。
【００４５】
さらに、蓄電池内臓で小型であるから取り扱いやすく、システム全体が安定した場合には取り外して別の場所でセッティングに用いることが出来る。いちいち電源を探す必要もない。もちろん運用時も付けたままにしておいてもよい。信頼性上劣化を起こす部品はなく、蓄電池は一年に一回程度充電するか交換すればよい。可変光アッテネータは、駆動時に減衰が加わるタイプを用いたので、万一蓄電池の容量が切れても光信号に与える損失はゼロであり、通常の伝送特性に影響を与えることはない。
【００４６】
さらに、本実施例の光アダプタによれば、光入力の有無を目視確認することが出来る。従来はいったん光コネクタを抜いて、パワーメータなどの測定器にコネクタを挿し替え、光パワーを確認した後に挿し直さなければならなかった。切れた光をつける場合には、一般に、まず光パワーメーターに挿しておいて確かに光がついたかを確認した後、コネクタを挿していた。もっとも煩雑な作用となるのは、「挿した後に光が切れる現象」に対する対処であった。なぜなら、いったん光コネクタが挿されてしまうと、いつ光パワーが切れたかが目視で確認できない。その場合には、光ネットワーク装置の監視機能または、もっと上位の機能が異常を検知することによって漸く把握する場合が多かった。さらに、このような「挿した後に光が切れる現象」が起きる時は、光ネットワーク装置も未だ安定して稼動していない場合が多い。そのような状況では、ネットワーク装置の監視機能さえ正常に動作するか確認できているといえない。また、もし光波長多重装置に異常があるとしても、一般に光波長多重装置は、光ネットワーク装置と物理的に離れていることが多い。なぜなら、光波長多重装置は多くの物理的に離れた複数のネットワーク装置を束ねる装置であり、逆に光ネットワーク装置は光ファイバを介して複数の離れた場所に設置したほうが都合がよいことがあるのである。このことは、検証作業を著しく非効率にする原因となっていた。
【００４７】
このアダプタによれば、光入力が正常入力、0〜-10dBmの範囲に有る時は、ＬＥＤの滅灯によって光コネクタを正常に繋いだまま目視確認をすることが出来る。しかも、目視確認できる場所は、各光ネットワーク装置の設置場所である。このように構成すれば、挿した後に光が切れた場合にはＬＥＤの点灯によって目視で確認でき、その場所で光が来ているのか来ていないのか、つまり光波長多重装置が悪いのか光ネットワーク装置が悪いのかが判るのである。
【００４８】
以上のように、本実施例による効果は広範であり、システムの効率的な稼動と、システム全体の信頼性向上に大きく寄与するものである。
【図面の簡単な説明】
【００４９】
【図１】本発明の実施例を説明する波長多重システムのブロック図である。
【図２】本発明の実施例を説明する波長多重システムの詳細ブロック図である。
【図３】本発明の実施例を説明するアダプタ装置のブロック図である。
【図４】本発明の実施例を説明するＬＥＤと可変光アッテネータの動作を説明する図である。
【図５】本発明の実施例を説明する光サージの波形である。
【符号の説明】
【００５０】
１…ネットワーク装置、２…光アダプタ、４…伝送ファイバ、５…波長多重伝送装置、６…光増幅装置、７…光増幅装置、８…波長多重伝送装置、９…伝送ファイバ、１１…出力ポート、１２…入力ポート、１３…光カプラ、１４…光電変換パネル、１５…蓄電池、１６…駆動部、１７…可変光アッテネータ、１８…光カプラ、１９…光検出器、２０…基準電圧生成部、２１…比較器、２２…ＬＥＤ表示器、２３…入力コネクタ、２４…出力コネクタ、２５…出力ポート、２６…入力ポート、２７…充電インターフェース、４１…光ファイバ、４２…光ファイバ、５１…入力ポート、５２…出力ポート、５３…光合波器、５４…光分波器、５５…波長変換装置、５６…波長多重信号出力ポート、５７…波長多重信号入力ポート。
【図１】
2006060659.tif 000003
【図２】
2006060659.tif 000004
【図３】
2006060659.tif 000005
【図４】
2006060659.tif 000006
【図５】
2006060659.tif 000007